(57)【要約】【課題】この発明は、ラベルの張替を明示してラベルの張替防止および商品の盗難防止を図り、また、表示を裏面に内臓して剥離するまで秘密を保持するシークレットラベル等張替防止等ラベルの提供。【解決手段】ラベル原紙を用い、その表面に通常のラベルとしてのインキ印刷を行い表面印刷インキ部を設け、このラベル原紙の裏面に、剥離ニスを印刷手段で所要位置に所要塗布して剥離ニス層部を設け、この剥離ニス層部の上に、インキ印刷を行い張替防止印刷インキ層部を設け、前記ラベル原紙の裏面の張替防止印刷インキ層部を含めて全面にＵＶ粘着剤、エマルジョン粘着剤、ホットメルト粘着剤等を塗布して粘着剤層部を設け、その後、前記粘着剤層部に剥離紙を貼合せ抜き型の刃を上方から剥離紙の上面まで入れてハーフ抜きを行い、ラベル原紙カスを剥離紙から取り除き、剥離紙上に所要の間隔で連続載置してなる。【選択図】　　　　図１
2004070135.tif 000002
【特許請求の範囲】
【請求項１】
ラベル原紙を用い、その表面に通常のラベルとしてのインキ印刷を行い表面印刷インキ部を設け、このラベル原紙の裏面に、剥離ニスを印刷手段で所要位置に所要塗布して剥離ニス層部を設け、この剥離ニス層部の上に、インキ印刷を行い張替防止印刷インキ層部を設け、前記ラベル原紙の裏面の張替防止印刷インキ層部を含めて全面にＵＶ粘着剤、エマルジョン粘着剤、ホットメルト粘着剤等を塗布して粘着剤層部を設け、その後、前記粘着剤層部に剥離紙を貼合わせ、抜き型の刃を上方から剥離紙の上面まで切抜きを入れてハーフ抜きを行い、ラベル原紙カスを剥離紙から取り除き、剥離紙上に所要の間隔で連続載置してなる張替防止等ラベル。
【請求項２】
ラベル原紙を用い、その表面に通常のラベルとしてのインキ印刷を行い表面印刷インキ部を設け、このラベル原紙の裏面に第１張替防止印刷インキ層部を設け、この第１張替防止印刷インキ層部の上に剥離ニスを印刷手段で所要位置に所要塗布して剥離ニス層部を設け、この剥離ニス層部のさらに上に、インキ印刷を行い第２張替防止印刷インキ層部を設け、前記ラベル原紙の裏面に、第１張替防止印刷インキ層部および第２張替防止印刷インキ層部を含めて全面にＵＶ粘着剤、エマルジョン粘着剤、ホットメルト粘着剤等を塗布して粘着剤層部を設け、その後、前記粘着剤層部に剥離紙を貼合わせ、抜き型の刃を上方から剥離紙の上面まで切抜きを入れてハーフ抜きを行い、ラベル原紙カスを剥離紙から取り除き、剥離紙上に所要の間隔で連続載置してなる張替防止等ラベル。
【請求項３】
ラベル原紙は、裏面の印刷が表面側から透視して視認可能に透過する透明紙または半透明紙を用いてなる請求項１または請求項２の張替防止等ラベル。
【発明の詳細な説明】
【０００１】
【発明が属する技術分野】
この発明は、ラベルの張替えを明示してラベルの張替防止および商品の盗難防止を図り、また、表示を裏面に内臓して剥離するまで秘密を保持するシークレットラベル等に関するものである。
【０００２】
【従来の技術】
従来、裏面に粘着剤を塗布したものであるため、これを張替える行為が後を立たない。商品の交換、価格表示の変動、包装封印の開封による中身商品のすり替え使用、交換などの悪質行為が、量販店において、また、通信販売の流通過程で、一部に行われることがある。
【０００３】
【発明が解決しようとする課題】
この発明は、かかる悪質行為の発生を未然に防止するラベルの提供を目的になされたものである。
【０００４】
【課題を解決するための手段】
ラベル原紙を用い、その表面に通常のラベルとしてのインキ印刷を行い表面印刷インキ部を設け、このラベル原紙の裏面に、剥離ニスを印刷手段で所要位置に所要塗布して剥離ニス層部を設け、この剥離ニス層部の上に、インキ印刷を行い張替防止印刷インキ層部を設け、前記ラベル原紙の裏面の張替防止印刷インキ層部を含めて全面にＵＶ粘着剤、エマルジョン粘着剤、ホットメルト粘着剤等を塗布して粘着剤層部を設け、その後、前記粘着剤層部に剥離紙を貼合わせ、抜き型の刃を上方から剥離紙の上面まで切抜きを入れてハーフ抜きを行い、ラベル原紙カスを剥離紙から取り除き、剥離紙上に所要の間隔で連続載置してなる張替防止等ラベルにある。
【０００５】
ラベル原紙を用い、その表面に通常のラベルとしてのインキ印刷を行い表面印刷インキ部を設け、このラベル原紙の裏面に第１張替防止印刷インキ層部を設け、この第１張替防止印刷インキ層部の上に剥離ニスを印刷手段で所要位置に所要塗布して剥離ニス層部を設け、この剥離ニス層部のさらに上に、インキ印刷を行い第２張替防止印刷インキ層部を設け、前記ラベル原紙の裏面に、第１張替防止印刷インキ層部および第２張替防止印刷インキ層部を含めて全面にＵＶ粘着剤、エマルジョン粘着剤、ホットメルト粘着剤等を塗布して粘着剤層部を設け、その後、前記粘着剤層部に剥離紙を貼合わせ、抜き型の刃を上方から剥離紙の上面まで切抜きを入れてハーフ抜きを行い、ラベル原紙カスを剥離紙から取り除き、剥離紙上に所要の間隔で連続載置してなる張替防止等ラベルとしてもよいものである。
【０００６】
前記ラベル原紙は、裏面の印刷が表面側から透視して視認可能に透過する透明紙または半透明紙を用いてもよいものである。
【０００７】
【発明の実施の形態】
先ず、一般のラベル原紙を用い、その表面に通常のラベルとしてのインキ印刷を行い表面印刷インキ部を設け、この一般のラベル原紙の裏面に張替防止を目的として、先ず、剥離ニスを印刷手段で所要位置に所要塗布して剥離ニス層部を設け、この剥離ニス層部の上に、インキ印刷を行い張替防止印刷インキ層部を設け、次に、ラベル原紙の裏面の張替防止印刷インキ層部を含めて全面にＵＶ粘着剤を塗布して粘着剤層部を設け、その後、前記粘着剤層部に剥離紙を貼合わせ、抜き型の刃を上方から剥離紙の上面まで入れて切抜きを入れてハーフ抜きを行い、前記ラベル原紙カスを剥離紙から取り除き、剥離紙上に所要の間隔で連続載置してなる張替防止ラベル。
【０００８】
【実施例】
以下、この発明は、張替防止等ラベルを、図１、図２、図３、図４および図５に示す第１実施例の張替防止ラベル１を説明すると、先ず、一般のラベル原紙２を用い、その表面２ａに通常のラベルとしてのインキ印刷を行い表面印刷インキ部３を設ける。そして、この一般のラベル原紙２の裏面２ｂに張替防止を目的として、先ず、剥離ニスを印刷手段で所要位置に所要塗布して剥離ニス層部４を設け、この剥離ニス層部４の上に、インキ印刷を行い張替防止印刷インキ層部５を設け、次に、ラベル原紙２の裏面２ｂの張替防止印刷インキ層部５を含めて全面にＵＶ粘着剤、エマルジョン粘着剤、ホットメルト粘着剤等を塗布して粘着剤層部６を設ける。
【０００９】
その後、前記粘着剤層部６に剥離紙７を貼合わせ、抜き型の刃８を上方から剥離紙７の上面まで切抜き９を入れてハーフ抜きを行い、そして、ラベル原紙カス１０を剥離紙７から取り除き、剥離紙７上に、この発明の第１実施例の張替防止ラベル１を所要の間隔で連続載置してなるものである。
【００１０】
前記第１実施例の張替防止ラベル１を、例えば、図３に示すように、商品の包装手段１１（容器、包装紙、フイルムパック、商品に直接でもよい、以下同じ）の外面に張り流通に流したときにおいて、第１実施例の張替防止ラベル１を剥がした時、図４に示すように、ラベル原紙部分２ｃに引き剥がし力を受け、ラベル原紙部分２ｃとは剥離ニス層部４の作用で強固に接着していないので容易に分離し、図５に示すように、剥離ニス層部４と張替防止印刷インキ層部５を粘着剤層部６の粘着力で粘着剤層部６と共に商品の包装手段１１の外面に残して剥離する。そこで、第１実施例の張替防止ラベル１を剥離したときに、裏面の剥離ニス層部４と張替防止印刷インキ層部５が商品の包装手段１１の外面に残ることで、第１実施例の張替防止ラベル１の裏面の文字、模様およびその他表示となっている張替防止印刷インキ層部５を変形し、商品の包装手段１１の外面から引き剥がされた証拠をラベルに明確に表示し、別な商品に張替える意欲を喪失させることができるものである。もって、第１実施例の張替防止ラベル１は、盗難防止ラベルまたは張替防止ラベルとして使用できるものである。
【００１１】
また、ラベル原紙２は、裏面の印刷が表面側から透視して視認ができない程度に遮断する不透明紙を選択して第１実施例の張替防止ラベル１を設けたときには、それを剥離したときに、それらの商品の包装手段１１の外面に、剥離ニス層部４と張替防止印刷インキ層部５が残り初めて特定の情報を報知することになり、シークレットラベルとして使用できるものである。
【００１２】
前記第１実施例の張替防止ラベル１の製造工程を示す図１および図２において、１２は粘着剤塗布ローラー、１３は剥離紙重合ローラー、１４はカス取りテンションローラーである。また、同じく、図１および図２において、ラベル原紙２の表面２ａの表面印刷インキ部３および裏面２ｂの剥離ニス層部４、張替防止印刷インキ層部５の硬化工程、粘着剤層部６の平滑塗布工程の詳細は、いずれも省略している。
【００１３】
次に、図６〜図１２に示すこの発明の第２実施例の張替防止ラベル１５について説明すると、先ず、ラベル原紙１６は、裏面の印刷が表面側から透視して視認可能に透過する透明紙または半透明紙を選択し、そのラベル原紙１６の表面１６ａに通常のラベルとしての表面印刷インキ部１７を設けている。このラベル原紙１６の裏面１６ｂに目的とする印刷パターンと同一面積部分に剥離ニスを印刷手段で塗布して剥離ニス層部１８を設ける。次に、この剥離ニス層部１８の上に張替防止印刷インキ層部１９を設け、そして、第１実施例の張替防止ラベル１と同様に、ラベル原紙１６の裏面１６ｂに、張替防止印刷インキ層部１９を含めて全面にＵＶ粘着剤、エマルジョン粘着剤、ホットメルト粘着剤等を塗布して粘着剤層部２０を設け、また、第１実施例の張替防止ラベル１と同様に、図示しないが、剥離紙２１を貼合わせた後、ラベル原紙１６にラベル外形のハーフ抜きを行い、そして、ラベル原紙カスを剥離紙２１を取り除き、剥離紙２１上に、図６および図７に示すように、この発明の第２実施例の張替防止ラベル１５を所要の間隔で連続載置してなるものである。
【００１４】
前記ラベル原紙１６の表面１６ａの表面印刷インキ部１７と、裏面１６ｂの張替防止表示印刷インキ層部１９とは、例えば、図６〜図９に示すように、齟齬して重合しないように設ける。
【００１５】
この発明の第２実施例の張替防止ラベル１５は、前述のように構成されるから、これを、図８に示すように、商品の包装手段２２に張り通信販売をしたときにときにおいて、その外観は、図９に示すように、ラベルの表面印刷インキ部１７と張替防止表示印刷インキ層部１９を同時に視認することができる。次に、この第２実施例の張替防止ラベル１５を剥がした時、図１０に示すように、ラベル原紙部分１６ｃに引き剥がし力を受け、ラベル原紙部分１６ｃとは剥離ニス層部４の部分が容易に分離し、図１１に示すように、剥離ニス層部１８と張替防止印刷インキ層部１９を粘着剤層部２０の粘着力で、その粘着剤層部２０と共に商品の包装手段２２に残して剥離する。そこで、第２実施例の張替防止ラベル１５を剥離したときに、裏面の剥離ニス層部１８と張替防止印刷インキ層部１９が商品の包装手段２２の外面に残ることで、第２実施例の張替防止ラベル１５の裏面の文字、模様およびその他表示となっている張替防止印刷インキ層部１９がなくなり、図１２に示すように、第２実施例の張替防止ラベル１５は、表示を変形するものである。よって、商品の包装手段２２から引き剥がされた証拠をラベルに明確に表示し、第１実施例の張替防止ラベル１と同様に、別な商品に張替える意欲を喪失させることができるものである。
【００１６】
前記この発明の第１の実施例で、ラベル原紙２は、必ずしも不透明紙を選択しなくても、すなわち、透明紙を使用しても表面に不透明加工が施されていればたり、すなわち、不透明印刷加工、表面印刷の全面または重合加工によって結果的に不透明になればよいものである。次に、その実施例について、この発明の第３の実施例の張替防止ラベル２３として説明する。先ず、一般のラベル原紙２４を用い、その表面２４ａに通常のラベルとしてのインキ印刷を行い表面印刷インキ部２５を設ける。そして、この一般のラベル原紙２４の裏面２４ｂに張替防止を目的として、第１張替防止印刷インキ層部２６を設け、この第１張替防止印刷インキ層部２６の上に剥離ニスを印刷手段で所要位置に所要塗布して剥離ニス層部２７を設け、この剥離ニス層部２７のさらに上に、再び、インキ印刷を行い第２張替防止印刷インキ層部２８を設け、次に、ラベル原紙２４の裏面２４ｂに、第１張替防止印刷インキ層部２６および第２張替防止印刷インキ層部２８を含めて全面にＵＶ粘着剤、エマルジョン粘着剤、ホットメルト粘着剤等を塗布して粘着剤層部２９を設ける。
【００１７】
その後、前記粘着剤層部２９に剥離紙３０を貼合わせ、抜き型の刃３１を上方から剥離紙３０の上面まで切抜き３２を入れてハーフ抜きを行い、そして、ラベル原紙カス３３を剥離紙３０から取り除き、剥離紙３０上に、図示しないが、この発明の第３実施例の張替防止ラベル２３を所要の間隔で連続載置してなるものである。
【００１８】
前記第３実施例の張替防止ラベル２３の製造工程を示す図１３において、３４は粘着剤塗布ローラー、３５は剥離紙重合ローラーである。図示しないが、ラベル原紙カス取りテンションローラー、ラベル原紙２３の表面２３ａの表面印刷インキ部２５および裏面２ｂの第１張替防止印刷インキ層部２６、剥離ニス層部２７、第２張替防止印刷インキ層部２８の硬化工程、粘着剤層部２９の平滑塗布工程の詳細は、第１実施例の張替防止ラベル１の製造工程と同様に、いずれも省略している。
【００１９】
この発明の第３実施例の張替防止ラベル２３は、前述のように構成されるから、例えば、これを、例えば、図１４に示すように、商品の包装手段３６の外面に張り通信販売をしたときにおいて、第３実施例の張替防止ラベル２３を商品の包装手段３６の外面から剥離したときは、ラベル原紙部分２４ｃと粘着剤層部２９に接着する第２張替防止印刷インキ層部２８とに分離し、第３実施例の張替防止ラベル２３と一体の第１張替防止印刷インキ層部２６と、商品の包装手段３６の外面に残る第２張替防止印刷インキ層部２８の両方を視認することができる。よって、ラベルの張替防止、盗難防止と、表示を裏面に内臓して剥離するまで秘密を保持するシークレットラベルを同時に機能させることができるものである。
【００２０】
【発明の効果】
この発明の張替防止等ラベルは、以上のように構成されるから、張替防止等ラベルを剥離したときに、裏面の剥離ニス層部と張替防止印刷インキ層部が商品の包装手段の外面に残ることで、盗難防止ラベルまたは張替防止ラベルとして使用できるものである。
また、ラベル原紙は、裏面の印刷が表面側から透視して視認ができない程度に遮断する不透明紙を選択し、または裏面に印刷インキ層部を設けて不透明化を図ったときには、それを剥離したときに、初めて貼着したそれらの商品、包装紙の外面に、剥離ニス層部と張替防止印刷インキ層部を残し、また張替防止ラベルの裏面における特定の情報を報知することになり、シークレットラベルとして使用できるものである。
【００２１】
よって、この発明の張替防止等ラベルは、量販店、通信販売などで商品の正しい流通等に多大に寄与するものである。
【図面の簡単な説明】
【図１】この発明の張替防止等ラベルの第１実施例の張替防止ラベルの製造工程を示す側面工程図である。
【図２】同じく、平面工程図である。
【図３】同じく、第１実施例の張替防止ラベルを包装手段に貼着した状態の構造説明側面図である。
【図４】同じく、第１実施例の張替防止ラベルを包装手段から剥離した状態の構造説明側面図である。
【図５】同じく、第１実施例の張替防止ラベルを包装手段から剥離したとき、張替防止印刷インキ層部が包装手段に残置した状態の構造説明側面図である。
【図６】透明ラベル原紙を用いて第１実施例の張替防止ラベルの製造工程と同じ工程で製造した第２実施例のシークレットラベルの完成時の構造説明側面図である。
【図７】同じく、第２実施例のシークレットラベルの完成時の構造説明平面図である。
【図８】同じく、剥離紙を剥して第２実施例のシークレットラベルの粘着剤面からみた構造説明底面図である。
【図９】同じく、第２実施例のシークレットラベルを包装手段に貼着した状態の構造説明側面図である。
【図１０】同じく、第２実施例のシークレットラベルを包装手段から剥離したとき、張替防止印刷インキ層部が包装手段に残置した状態の構造説明側面図である。
【図１１】同じく、第２実施例のシークレットラベルを包装手段から剥離したときにおける、シークレットラベルの構造説明側面図である。
【図１２】同じく、第２実施例のシークレットラベルを包装手段から剥離したときにおける、シークレットラベルの構造説明平面図である。
【図１３】この発明の張替防止等ラベルの第３実施例のシークレットラベルの製造工程で剥離紙を粘着面に重合させる迄の製造工程側面工程図である。
【図１４】同じく、第３実施例のシークレットラベルを包装手段に貼着した状態の構造説明側面図である。
【符号の説明】
１　第１実施例の張替防止ラベル
２　ラベル原紙
２ａ　表面
２ｂ　裏面
２ｃ　ラベル原紙部分
３　表面印刷インキ部
４　剥離ニス層部
５　張替防止印刷インキ層部
６　粘着剤層部
７　剥離紙
８　抜き型の刃
９　切抜き
１０　ラベル原紙カス
１１　商品の包装手段
１２　粘着剤塗布ローラー
１３　剥離紙重合ローラー
１４　カス取りテンションローラー
１５　第２実施例の張替防止ラベル
１６　ラベル原紙
１６ａ　表面
１６ｂ　裏面
１６ｃ　ラベル原紙部分
１７　表面印刷インキ部
１８　剥離ニス層部
１９　張替防止印刷インキ層部
２０　粘着剤層部
２１　剥離紙
２２　商品の包装手段
２３　第３の実施例の張替防止ラベル
２４　ラベル原紙
２４ａ　表面
２４ｂ　裏面
２４ｃ　ラベル原紙部分
２５　表面印刷インキ部
２６　第１張替防止印刷インキ層部
２７　剥離ニス層部
２８　第２張替防止印刷インキ層部
２９　粘着剤層部
３０　剥離紙
３１　抜き型の刃
３２　切抜き
３３　ラベル原紙カス
３４　粘着剤塗布ローラー
３５　剥離紙重合ローラー
３６　商品の包装手段
【図１】
2004070135.tif 000003
【図２】
2004070135.tif 000004
【図３】
2004070135.tif 000005
【図４】
2004070135.tif 000006
【図５】
2004070135.tif 000007
【図６】
2004070135.tif 000008
【図７】
2004070135.tif 000009
【図８】
2004070135.tif 000010
【図９】
2004070135.tif 000011
【図１０】
2004070135.tif 000012
【図１１】
2004070135.tif 000013
【図１２】
2004070135.tif 000014
【図１３】
2004070135.tif 000015
【図１４】
2004070135.tif 000016